(57)【特許請求の範囲】
【請求項１】
端末のアップリンク信号送信方法において、
第１の基地局からアップリンクサブフレームタイプ情報を受信するステップ；
前記アップリンクサブフレームタイプ情報によって予め決められた複数のサブフレーム構造のうち一つの構造を有するアップリンクサブフレームを構成するステップ；及び、
前記構成したアップリンクサブフレームでアップリンク信号を前記第１の基地局に送信するステップ；を含み、
前記アップリンクサブフレームは、前記第１の基地局と隣接した第２の基地局でダウンリンク制御信号を送信するダウンリンクサブフレームと時間領域で重なるサブフレームであり、前記複数のサブフレーム構造は、参照信号の位置が互いに異なるサブフレーム構造であることを特徴とする方法。
【請求項２】
前記第２の基地局でダウンリンク制御信号を送信するＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルの個数がＮ（Ｎは、１以上４以下の自然数）個の場合、前記端末は、前記アップリンクサブフレームの初めのＮ個のＯＦＤＭシンボルで残りのＯＦＤＭシンボルの送信電力より低くしてアップリンク信号を送信することを特徴とする請求項１に記載の方法。
【請求項３】
前記Ｎが２の場合、前記アップリンクサブフレームの初めの２個のＯＦＤＭシンボルのうちいずれか一つのＯＦＤＭシンボル、４番目のＯＦＤＭシンボル及び１１番目のＯＦＤＭシンボルで参照信号を送信することを特徴とする請求項２に記載の方法。
【請求項４】
前記Ｎが３の場合、前記アップリンクサブフレームの初めの３個のＯＦＤＭシンボルのうちいずれか一つのＯＦＤＭシンボル及び１１番目のＯＦＤＭシンボルで参照信号を送信することを特徴とする請求項２に記載の方法。
【請求項５】
前記Ｎが３の場合、前記アップリンクサブフレームの初めの３個のＯＦＤＭシンボルのうちいずれか一つのＯＦＤＭシンボル及び８番目のＯＦＤＭシンボルで参照信号を送信することを特徴とする請求項２に記載の方法。
【請求項６】
前記Ｎが４の場合、前記アップリンクサブフレームの４番目、７番目、１１番目のＯＦＤＭシンボルで参照信号を送信することを特徴とする請求項２に記載の方法。
【請求項７】
前記Ｎが４の場合、前記アップリンクサブフレームの３番目、７番目、１１番目のＯＦＤＭシンボルで参照信号を送信することを特徴とする請求項２に記載の方法。
【請求項８】
前記アップリンクサブフレームタイプ情報は、前記アップリンクサブフレームをスケジューリングするアップリンクグラントを介して受信されることを特徴とする請求項１に記載の方法。
【請求項９】
前記アップリンクサブフレームタイプ情報は、上位階層信号を介して受信されることを特徴とする請求項１に記載の方法。
【請求項１０】
無線信号を送信及び受信するＲＦ（ｒａｄｉｏ  ｆｒｅｑｕｅｎｃｙ）部；及び、
前記ＲＦ部と連結されるプロセッサ；を含み、
前記プロセッサは、第１の基地局からアップリンクサブフレームタイプ情報を受信し、前記アップリンクサブフレームタイプ情報によって予め決められた複数のサブフレーム構造のうち一つの構造を有するアップリンクサブフレームを構成し、及び前記構成したアップリンクサブフレームでアップリンク信号を前記第１の基地局に送信し、
前記アップリンクサブフレームは、前記第１の基地局と隣接した第２の基地局でダウンリンク制御信号を送信するダウンリンクサブフレームと時間領域で重なるサブフレームであり、前記複数のサブフレーム構造は、参照信号の位置が互いに異なるサブフレーム構造であることを特徴とする端末。
【発明の詳細な説明】
【技術分野】
【０００１】
本発明は、無線通信に関し、より詳しくは、ＴＤＤ（Ｔｉｍｅ  Ｄｉｖｉｓｉｏｎ  Ｄｕｐｌｅｘ）ベースの無線通信システムにおいて、アップリンク信号を送信する方法及び装置に関する。
【背景技術】
【０００２】
無線通信システムは、ＦＤＤ（ｆｒｅｑｕｅｎｃｙ  ｄｉｖｉｓｉｏｎ  ｄｕｐｌｅｘ）方式又はＴＤＤ（ｔｉｍｅ  ｄｉｖｉｓｉｏｎ  ｄｕｐｌｅｘ）方式を使用することができる。ＦＤＤ方式は、基地局が端末に信号を送信するダウンリンク送信と、端末が基地局に信号を送信するアップリンク送信と、が互いに異なる周波数帯域で実行される方式である。ＦＤＤ方式は、広い周波数帯域が保障される所で非常に効率的であり、ダウンリンク／アップリンク送信の非対称状況も動的に処理することができる。ＴＤＤ方式は、ダウンリンク送信とアップリンク送信が同一周波数帯域で互いに異なる時間に実行される方式である。ＴＤＤ方式は、周波数帯域に制限がある場合にも活用されることができ、ＶｏＩＰ（Ｖｏｉｃｅ  ｏｖｅｒ  ｉｎｔｅｒｎｅｔ  ｐｒｏｔｏｃｏｌ）などのようなトラフィックを主に使用する場合に有利である。しかし、ＴＤＤ方式は、ＲＴＴ（ｒｏｕｎｄ  ｔｒｉｐ  ｔｉｍｅ）の制限のためＦＤＤ方式に比べて相対的に小さいセルカバレッジを有し、ダウンリンク／アップリンク送信間のスイッチング時に保護区間（ｇｕａｒｄ  ｐｅｒｉｏｄ）が要求されるという短所もある。
【０００３】
ＴＤＤ方式を使用するＴＤＤシステムでは多様なダウンリンク／アップリンクサブフレーム設定（以下、サブフレーム設定という）を提供する。サブフレーム設定とは、無線フレーム内で各サブフレームをアップリンクサブフレーム、ダウンリンクサブフレーム、又は特殊（ｓｐｅｃｉａｌ）サブフレームに設定することを意味する。しかし、ＴＤＤシステムの基地局単位ではサブフレーム設定が制限されることができる。例えば、３ＧＰＰ  ＬＴＥにおいて、一つのネットワークは、互いに異なるサブフレーム設定を有することができない。即ち、同一ネットワーク内で、複数の基地局の全ては同一サブフレーム設定を有するように制限される。このようなＴＤＤシステムを対称（ｓｙｍｍｅｔｒｉｃ）ＴＤＤシステムという。対称ＴＤＤシステムにおいて、各基地局でのデータ負担影響を考慮しない場合、各セルでのセル間干渉（Ｉｎｔｅｒ−ｃｅｌｌ  Ｉｎｔｅｒｆｅｒｅｎｃｅ、ＩＣＩ）は、一定に現れるようになる。この場合、各基地局は、時間領域で一定のＩＣＩを仮定することができ、これによって、目標ＳＩＮＲに対してリンク適応（ｌｉｎｋ−ａｄａｐｔａｔｉｏｎ）、電力制御（ｐｏｗｅｒ  ｃｏｎｔｒｏｌ）などを容易に実行することができる。
【０００４】
しかし、最近、前述した制限が無線リソースの効率的活用を阻害し、複数の基地局のデータ負担特性を正確に反映できないため、基地局間に互いに異なるサブフレーム設定を使用することを考慮している。即ち、各基地局は、互いに異なるサブフレーム設定によって同一時間に互いに異なるリンク送受信を実行することができる。このようなＴＤＤシステムを非対称（ａｓｙｍｍｅｔｒｉｃ）ＴＤＤシステムという。非対称ＴＤＤシステムにおいて、特定基地局のセルカバレッジ境界にある端末は、他の基地局又は他の端末が送信する信号により干渉を受けるようになる。特に、ダウンリンク制御チャネルは、システム制御情報を含むという点で特に干渉に敏感である。このような問題を解決するために、サブフレーム内で、他の端末がダウンリンク制御信号を受信する時間区間ではアップリンク信号を送信する端末の送信電力を弱くし、残りの時間区間では送信電力を元通りにする方法がある。しかし、このようにサブフレーム内で送信電力を異なるようにすると、送信信号の位相不連続が発生する問題がある。その結果、端末が送信するアップリンク信号を基地局が正確に受信できない問題がある。
【０００５】
したがって、非対称ＴＤＤシステムにおいて、干渉問題を解決することができるアップリンク信号送信方法及び装置が要求される。
【発明の概要】
【発明が解決しようとする課題】
【０００６】
本発明が解決しようとする技術的課題は、ＴＤＤ（Ｔｉｍｅ  Ｄｉｖｉｓｉｏｎ  Ｄｕｐｌｅｘ）ベースの無線通信システムにおけるアップリンク信号送信方法及び装置を提供することである。
【課題を解決するための手段】
【０００７】
一側面において、端末のアップリンク信号送信方法を提供する。前記方法は、第１の基地局からアップリンクサブフレームタイプ情報を受信するステップ；前記アップリンクサブフレームタイプ情報によって予め決められた複数のサブフレーム構造のうち一つの構造を有するアップリンクサブフレームを構成するステップ；及び、前記構成したアップリンクサブフレームでアップリンク信号を前記第１の基地局に送信するステップ；を含み、前記アップリンクサブフレームは、前記第１の基地局と隣接した第２の基地局でダウンリンク制御信号を送信するダウンリンクサブフレームと時間領域で重なるサブフレームであり、前記複数のサブフレーム構造は、参照信号の位置が互いに異なるサブフレーム構造であることを特徴とする。
【０００８】
前記第２の基地局でダウンリンク制御信号を送信するＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルの個数がＮ（Ｎは、１以上４以下の自然数）個の場合、前記端末は、前記アップリンクサブフレームの初めのＮ個のＯＦＤＭシンボルで残りのＯＦＤＭシンボルの送信電力より低くしてアップリンク信号を送信する。
【０００９】
前記Ｎが２の場合、前記アップリンクサブフレームの初めの２個のＯＦＤＭシンボルのうちいずれか一つのＯＦＤＭシンボル、４番目のＯＦＤＭシンボル及び１１番目のＯＦＤＭシンボルで参照信号を送信する。
【００１０】
前記Ｎが３の場合、前記アップリンクサブフレームの初めの３個のＯＦＤＭシンボルのうちいずれか一つのＯＦＤＭシンボル及び１１番目のＯＦＤＭシンボルで参照信号を送信する。
【００１１】
前記Ｎが３の場合、前記アップリンクサブフレームの初めの３個のＯＦＤＭシンボルのうちいずれか一つのＯＦＤＭシンボル及び８番目のＯＦＤＭシンボルで参照信号を送信する。
【００１２】
前記Ｎが４の場合、前記アップリンクサブフレームの４番目、７番目、１１番目のＯＦＤＭシンボルで参照信号を送信する。
【００１３】
前記Ｎが４の場合、前記アップリンクサブフレームの３番目、７番目、１１番目のＯＦＤＭシンボルで参照信号を送信する。
【００１４】
前記アップリンクサブフレームタイプ情報は、前記アップリンクサブフレームをスケジューリングするアップリンクグラントを介して受信される。
【００１５】
前記アップリンクサブフレームタイプ情報は、上位階層信号を介して受信される。
【００１６】
他の側面で提供される端末は、無線信号を送信及び受信するＲＦ（ｒａｄｉｏ  ｆｒｅｑｕｅｎｃｙ）部；及び、前記ＲＦ部と連結されるプロセッサ；を含み、前記プロセッサは、第１の基地局からアップリンクサブフレームタイプ情報を受信し、前記アップリンクサブフレームタイプ情報によって予め決められた複数のサブフレーム構造のうち一つの構造を有するアップリンクサブフレームを構成し、及び前記構成したアップリンクサブフレームでアップリンク信号を前記第１の基地局に送信し、前記アップリンクサブフレームは、前記第１の基地局と隣接した第２の基地局でダウンリンク制御信号を送信するダウンリンクサブフレームと時間領域で重なるサブフレームであり、前記複数のサブフレーム構造は、参照信号の位置が互いに異なるサブフレーム構造であることを特徴とする。
【発明の効果】
【００１７】
互いに異なるサブフレーム設定を使用するＴＤＤ（Ｔｉｍｅ  Ｄｉｖｉｓｉｏｎ  Ｄｕｐｌｅｘ）システムにおいて、基地局が送信するダウンリンク制御信号に対する干渉を緩和することができる。したがって、端末のダウンリンク制御信号受信性能が改善される。
【図面の簡単な説明】
【００１８】
【図１】無線フレームの構造を示す。
【図２】ＴＤＤ無線フレームの構造を示す。
【図３】一つのダウンリンクスロットに対するリソースグリッド（ｒｅｓｏｕｒｃｅ  ｇｒｉｄ）の一例を示す。
【図４】ダウンリンクサブフレームの構造を示す。
【図５】アップリンクサブフレームの構造を示す。
【図６】隣接したセルで互いに異なるＵＬ−ＤＬ設定を使用する場合、セル間干渉を例示する。
【図７】セルＡが干渉を受けるセルであり、セルＢが干渉を与えるセルである場合を示す。
【図８】セルＢが干渉を受けるセルであり、セルＡが干渉を与えるセルである場合を示す。
【図９】既存のアップリンクサブフレームの構造を示す。
【図１０】アップリンクサブフレームの１番目のＯＦＤＭシンボルが隣接基地局のＰＤＣＣＨ送信ＯＦＤＭシンボルと重なる場合に適用することができるサブフレームの構造を示す。
【図１１】アップリンクサブフレームの初めの２個のＯＦＤＭシンボルが隣接基地局のＰＤＣＣＨ送信ＯＦＤＭシンボルと重なる場合を示す。
【図１２】図１１のような状況で適用することができるサブフレームの構造を示す。
【図１３】アップリンクサブフレームの初めの３個のＯＦＤＭシンボルが隣接基地局のＰＤＣＣＨ送信ＯＦＤＭシンボルと重なる場合を示す。
【図１４】図１３のような状況で適用することができるサブフレームの構造を示す。
【図１５】アップリンクサブフレームの２番目のスロットの参照信号位置変更の一例である。
【図１６】端末に適用されるリソース割当方式がスロットホッピング方式である場合に適用されることができるサブフレーム構造の例を示す。
【図１７】アップリンクサブフレームの初めの４個のＯＦＤＭシンボルが隣接基地局のＰＤＣＣＨ送信ＯＦＤＭシンボルと重なる場合を示す。
【図１８】図１７のような状況で適用することができるサブフレームの構造を示す。
【図１９】本発明の一実施例に係る端末のアップリンク送信方法を示す。
【図２０】本発明の実施例が具現される無線機器を示すブロック図である。
【発明を実施するための形態】
【００１９】
端末（Ｕｓｅｒ  Ｅｑｕｉｐｍｅｎｔ、ＵＥ）は、固定されてもよいし、移動性を有してもよく、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。
【００２０】
基地局は、一般的に端末と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２１】
基地局から端末への通信をダウンリンク（ｄｏｗｎｌｉｎｋ：ＤＬ）といい、端末から基地局への通信をアップリンク（ｕｐｌｉｎｋ：ＵＬ）という。基地局及び端末を含む無線通信システムは、ＴＤＤ（ｔｉｍｅ  ｄｉｖｉｓｉｏｎ  ｄｕｐｌｅｘ）システム又はＦＤＤ（ｆｒｅｑｕｅｎｃｙ  ｄｉｖｉｓｉｏｎ  ｄｕｐｌｅｘ）システムである。ＴＤＤシステムは、同一周波数帯域で互いに異なる時間を使用してアップリンク及びダウンリンク送受信を実行する無線通信システムである。ＦＤＤシステムは、互いに異なる周波数帯域を使用して同時にアップリンク及びダウンリンク送受信が可能な無線通信システムである。無線通信システムは、無線フレームを使用して通信を実行することができる。
【００２２】
図１は、無線フレームの構造を示す。
【００２３】
無線フレーム（ｒａｄｉｏ  ｆｒａｍｅ）は、１０個のサブフレームを含み、一つのサブフレーム（ｓｕｂｆｒａｍｅ）は、２個の連続的なスロット（ｓｌｏｔ）を含む。無線フレーム内に含まれるスロットは、０〜１９のインデックスが付けられる。一つのサブフレームの送信にかかる時間をＴＴＩ（ｔｒａｎｓｍｉｓｓｉｏｎ  ｔｉｍｅ  ｉｎｔｅｒｖａｌ）といい、ＴＴＩは、最小スケジューリング単位（ｍｉｎｉｍｕｍ  ｓｃｈｅｄｕｌｉｎｇ  ｕｎｉｔ）である。例えば、一つのサブフレームの長さは１ｍｓであり、一つのスロットの長さは０．５ｍｓである。
【００２４】
図２は、ＴＤＤ無線フレームの構造を示す。
【００２５】
図２を参照すると、インデックス＃１とインデックス＃６を有するサブフレームは、スペシャルサブフレーム（ｓｐｅｃｉａｌ  ｓｕｂｆｒａｍｅ）といい、ＤｗＰＴＳ（Ｄｏｗｎｌｉｎｋ  Ｐｉｌｏｔ  Ｔｉｍｅ  Ｓｌｏｔ）、ＧＰ（Ｇｕａｒｄ  Ｐｅｒｉｏｄ）、及びＵｐＰＴＳ（Ｕｐｌｉｎｋ  Ｐｉｌｏｔ  Ｔｉｍｅ  Ｓｌｏｔ）を含む。ＤｗＰＴＳは、端末での初期セル探索、同期化又はチャネル推定に使われる。ＵｐＰＴＳは、基地局でのチャネル推定と端末のアップリンク送信同期を合わせるときに使われる。ＧＰは、アップリンクとダウンリンクとの間にダウンリンク信号の多重経路遅延によりアップリンクで発生する干渉を除去するための区間である。ＴＤＤ無線フレームは、ＲＲＣメッセージのような上位階層信号に送信されるアップリンク／ダウンリンク設定（ｕｐｌｉｎｋ／ｄｏｗｎｌｉｎｋ  ｃｏｎｆｉｇｕｒａｔｉｏｎ：ＵＬ／ＤＬ  ｃｏｎｆｉｇｕｒａｔｉｏｎ）によって、各サブフレームがダウンリンクサブフレーム、アップリンクサブフレーム又はスペシャルサブフレームに設定される。
【００２６】
図３は、一つのダウンリンクスロットに対するリソースグリッド（ｒｅｓｏｕｒｃｅ  ｇｒｉｄ）の一例を示す。
【００２７】
図３を参照すると、ダウンリンクスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域でＮＲＢ個のリソースブロック（ＲＢ；Ｒｅｓｏｕｒｃｅ  Ｂｌｏｃｋ）を含む。リソースブロックは、リソース割当単位であり、時間領域で一つのスロット、周波数領域で複数の連続する副搬送波（ｓｕｂｃａｒｒｉｅｒ）を含む。ダウンリンクスロットに含まれるリソースブロックの数ＮＲＢは、セルで設定されるダウンリンク送信帯域幅（ｂａｎｄｗｉｄｔｈ）ＮＤＬに従属する。例えば、ＬＴＥシステムにおいて、ＮＲＢは、６〜１１０のうちいずれか一つである。アップリンクスロットの構造も前記ダウンリンクスロットの構造と同じである。
【００２８】
リソースグリッド上の各要素（ｅｌｅｍｅｎｔ）をリソース要素（ｒｅｓｏｕｒｃｅ  ｅｌｅｍｅｎｔ、ＲＥ）という。リソースグリッド上のリソース要素は、スロット内のインデックス対（ｐａｉｒ）（ｋ，ｌ）により識別されることができる。ここで、ｋ（ｋ＝０，．．．，ＮＲＢ×１２−１）は、周波数領域内の副搬送波インデックスであり、ｌ（ｌ＝０，．．．，６）は、時間領域内のＯＦＤＭシンボルインデックスである。
【００２９】
図３において、一つのリソースブロックが時間領域で７ＯＦＤＭシンボル、周波数領域で１２副搬送波で構成され、７×１２リソース要素を含むことを例示的に記述するが、リソースブロック内のＯＦＤＭシンボルの数と副搬送波の数はこれに制限されるものではない。ＯＦＤＭシンボルの数と副搬送波の数は、ＣＰの長さ、周波数間隔（ｆｒｅｑｕｅｎｃｙ  ｓｐａｃｉｎｇ）などによって多様に変更されることができる。一つのＯＦＤＭシンボルで、副搬送波の数は１２８、２５６、５１２、１０２４、１５３６、及び２０４８のうち一つを選定して使用することができる。
【００３０】
図４は、ダウンリンクサブフレームの構造を示す。
【００３１】
図４を参照すると、ＤＬ（ｄｏｗｎｌｉｎｋ）サブフレームは、時間領域で制御領域（ｃｏｎｔｒｏｌ  ｒｅｇｉｏｎ）とデータ領域（ｄａｔａ  ｒｅｇｉｏｎ）とに分けられる。制御領域は、サブフレーム内の第１のスロットの前方部の最大４個のＯＦＤＭシンボルを含むが、制御領域に含まれるＯＦＤＭシンボルの個数は変わることができる。制御領域にはＰＤＣＣＨ（ｐｈｙｓｉｃａｌ  ｄｏｗｎｌｉｎｋ  ｃｏｎｔｒｏｌ  ｃｈａｎｎｅｌ）及び他の制御チャネルが割り当てられ、データ領域にはＰＤＳＣＨ（ｐｈｙｓｉｃａｌ  ｄｏｗｎｌｉｎｋ  ｓｈａｒｅｄ  ｃｈａｎｎｅｌ）が割り当てられる。
【００３２】
制御領域ではＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）のような制御チャネルが送信される。
【００３３】
サブフレームの１番目のＯＦＤＭシンボルで送信されるＰＣＦＩＣＨは、サブフレーム内で制御チャネルの送信に使われるＯＦＤＭシンボルの数（即ち、制御領域の時間の大きさ）に対するＣＦＩ（ｃｏｎｔｒｏｌ  ｆｏｒｍａｔ  ｉｎｄｉｃａｔｏｒ）を伝送する。まず、端末は、ＰＣＦＩＣＨ上にＣＦＩを受信した後、ＰＤＣＣＨをモニタリングする。ＰＤＣＣＨと違って、ＰＣＦＩＣＨは、ブラインドデコーディングを使用せず、サブフレームの固定されたＰＣＦＩＣＨリソースを介して送信される。
【００３４】
ＰＨＩＣＨは、アップリンクＨＡＲＱ（ｈｙｂｒｉｄ  ａｕｔｏｍａｔｉｃ  ｒｅｐｅａｔ  ｒｅｑｕｅｓｔ）のためのＡＣＫ（ｐｏｓｉｔｉｖｅ−ａｃｋｎｏｗｌｅｄｇｅｍｅｎｔ）／ＮＡＣＫ（ｎｅｇａｔｉｖｅ−ａｃｋｎｏｗｌｅｄｇｅｍｅｎｔ）信号を伝送する。端末により送信されるＰＵＳＣＨ（ｐｈｙｓｉｃａｌ  ｕｐｌｉｎｋ  ｓｈａｒｅｄ  ｃｈａｎｎｅｌ）上のＵＬ（ｕｐｌｉｎｋ）データに対するＡＣＫ／ＮＡＣＫ信号は、ＰＨＩＣＨ上に送信される。
【００３５】
ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ、ＤＣＩ）という。ＤＣＩは、ＰＤＳＣＨのリソース割当（これをＤＬグラント（ｄｏｗｎｌｉｎｋ  ｇｒａｎｔ）とも呼ぶ）、ＰＵＳＣＨのリソース割当（これをＵＬグラント（ｕｐｌｉｎｋ  ｇｒａｎｔ）とも呼ぶ）、任意のＵＥグループ内の個別ＵＥに対する送信パワー制御命令の集合及び／又はＶｏＩＰ（Ｖｏｉｃｅ  ｏｖｅｒ  Ｉｎｔｅｒｎｅｔ  Ｐｒｏｔｏｃｏｌ）の活性化を含むことができる。
【００３６】
図５は、アップリンクサブフレームの構造を示す。
【００３７】
図５を参照すると、アップリンクサブフレームは、周波数領域で、アップリンク制御情報を伝送するＰＵＣＣＨ（Ｐｈｙｓｉｃａｌ  Ｕｐｌｉｎｋ  Ｃｏｎｔｒｏｌ  Ｃｈａｎｎｅｌ）が割り当てられる制御領域（ｒｅｇｉｏｎ）と、ユーザデータを伝送するＰＵＳＣＨ（Ｐｈｙｓｉｃａｌ  Ｕｐｌｉｎｋ  Ｓｈａｒｅｄ  Ｃｈａｎｎｅｌ）が割り当てられるデータ領域と、に分けられる。
【００３８】
ＰＵＣＣＨは、サブフレームでＲＢ対（ｐａｉｒ）で割当される。ＲＢ対に属するＲＢは、第１のスロットと第２のスロットの各々で互いに異なる副搬送波を占める。ＲＢ対は、同一リソースブロックインデックスｍを有する。
【００３９】
ＰＵＳＣＨではユーザデータ及び／又はアップリンク制御情報が送信される。
【００４０】
以下、非対称ＴＤＤシステム（ａｓｙｍｍｅｔｒｉｃ  ＴＤＤ  ｓｙｓｔｅｍ）に対して説明する。
【００４１】
ＴＤＤでは一つの無線フレームにＤＬ（ｄｏｗｎｌｉｎｋ）サブフレームとＵＬ（Ｕｐｌｉｎｋ）サブフレームが共存する。表１は、無線フレームのＵＬ−ＤＬ設定（ＵＬ−ＤＬ  ｃｏｎｆｉｇｕｒａｔｉｏｎ）の一例を示す。
【００４２】
【表１】
0005680255.tif 000002
【００４３】
表１において、‘Ｄ’はＤＬサブフレームを示し、‘Ｕ’はＵＬサブフレームを示し、‘Ｓ’はスペシャルサブフレームを示す。基地局からＵＬ−ＤＬ設定を受信すると、端末は、無線フレームで各サブフレームがＤＬサブフレームであるか又はＵＬサブフレームであるかを知ることができる。以下、ＵＬ−ＤＬ設定Ｎ（Ｎは、０〜６のうちいずれか一つ）は、前記表１を参照することができる。
【００４４】
従来、ＴＤＤ方式を使用するＴＤＤシステムでは、一つのネットワークを構成する複数の基地局（又は、複数のセル）で同一ＵＬ−ＤＬ設定を使用した。しかし、今後、同一ネットワークを構成する複数の基地局が互いに異なるＵＬ−ＤＬ設定を使用することをサポートすることができる。この場合、例えば、第１の基地局は、第１のサブフレームをＤＬサブフレームとして使用し、第２の基地局は、第１のサブフレームをＵＬサブフレームとして使用するといったように、送信方向が異なる場合が発生することができる。
【００４５】
図６は、隣接したセルで互いに異なるＵＬ−ＤＬ設定を使用する場合、セル間干渉を例示する。
【００４６】
セルＡとセルＢは、互いに隣接したセルであり、互いに異なるＵＬ−ＤＬ設定を使用する。セルＡの端末を第１の端末であり、セルＢの端末を第２の端末であると仮定する。図６（ａ）を参照すると、セルＡのサブフレーム６１は、ＤＬサブフレームに設定された状態であり、セルＢのサブフレーム６２は、ＵＬサブフレームに設定された状態である。この場合、セルＢのサブフレーム６２で第２の端末がアップリンク信号を送信すると、セルＡのサブフレーム６１でダウンリンク信号を受信する第１の端末が干渉を受けるようになる。即ち、セルＡは、干渉を受けるセル（ｖｉｃｔｉｍ  ｃｅｌｌ）であり、セルＢは、干渉を与えるセル（ｉｎｔｅｒｆｅｒｉｎｇ  ｃｅｌｌ）がなる。
【００４７】
または、図６（ｂ）を参照すると、セルＡのサブフレーム６３は、ＤＬサブフレームに設定された状態であり、セルＢのサブフレーム６４は、ＵＬサブフレームに設定された状態である。この場合、セルＡのサブフレーム６３で送信されたダウンリンク信号は、セルＢのサブフレーム６４で送信されたアップリンク信号に干渉を与えるようになる。
【００４８】
図６（ａ）及び図６（ｂ）において、各セルが受ける干渉量を、干渉を受けるセルと干渉を与えるセルとの関係で具体的に説明する。
【００４９】
図７は、セルＡが干渉を受けるセルであり、セルＢが干渉を与えるセルである場合を示す。
【００５０】
図７を参照すると、セルＡにおいて、サブフレーム区間７１、７２はＤＬサブフレームであり、サブフレーム区間７３はＵＬサブフレームである。セルＢにおいて、サブフレーム区間７１はＤＬサブフレームであり、サブフレーム区間７２、７３はＵＬサブフレームである。この場合、サブフレーム区間７１は、セルＡ、セルＢで同一にダウンリンク送信を実行し、このように送信方向が同じであるサブフレーム区間を同種サブフレーム（ｈｏｍｏｇｅｎｅｏｕｓ  ｓｕｂｆｒａｍｅ）という。送信方向が同一にダウンリンク送信の場合、ダウンリンク同種サブフレーム（例えば、７１）といい、同一にアップリンク送信の場合、アップリンク同種サブフレーム（例えば、７３）という。サブフレーム区間７２は、各セルの送信方向が異なり、このようなサブフレーム区間を異種サブフレーム（ｈｅｔｅｒｏｇｅｎｅｏｕｓ  ｓｕｂｆｒａｍｅ）という。干渉を受けるセルではダウンリンク送信を実行し、干渉を与えるセルではアップリンク送信を実行する場合、ダウンリンク異種サブフレームといい、干渉を受けるセルではアップリンク送信を実行し、干渉を与えるセルではダウンリンク送信を実行する場合、アップリンク異種サブフレームという。
【００５１】
セルＡの第１の端末７７は、サブフレーム区間７１で、セルＢの第２の基地局８０のダウンリンク送信によりセル間干渉（ＩＣＩ）を受けるようになり、サブフレーム区間７２で、セルＢの第２の端末７８が送信するアップリンク信号によりセル間干渉を受けるようになる。即ち、セルＡのサブフレーム区間７１、７２の両方は、ダウンリンクサブフレームで構成されているが、互いに異なる特性を有するセル間干渉を受けるようになる。特に、サブフレーム区間７２でのセル間干渉は、第２の端末７８との距離が近い場合、さらに強い干渉として作用されることができる。
【００５２】
図８は、セルＢが干渉を受けるセルであり、セルＡが干渉を与えるセルである場合を示す。
【００５３】
図８を参照すると、図７と反対に、セルＢが干渉を受けるセルであり、セルＡが干渉を与えるセルである。セルＢに属する第２の端末７８に対するダウンリンク送信は、サブフレーム区間７１で実行される。このとき、セルＡに属する第１の端末７７に対するダウンリンク送信もサブフレーム区間７１で実行される。したがって、既存ＴＤＤシステムと同様にセル間干渉を仮定することができる。
【００５４】
セルＢに属する第２の端末７８のアップリンク送信は、サブフレーム区間７２、７３で実行される。一方、セルＡに属する第１の端末７７のアップリンク送信は、サブフレーム区間７３でのみ実行される。この場合、セルＢのサブフレーム区間７２、７３の両方は、アップリンクサブフレームで構成されているが、互いに異なる特性を有するセル間干渉を受けるようになる。端末は、ＮＩ（ｎｏｉｓｅ  ａｎｄ  ｉｎｔｅｒｆｅｒｅｎｃｅ）に基づいて電力制御を実行し、このようにセル間干渉が異なる場合、電力制御性能を保障することができない。
【００５５】
前述したような非対称ＴＤＤシステムの場合、隣接したセルで同一送信方向を有する同種サブフレームでも干渉が発生するが、隣接したセルで互いに異なる送信方向を有する異種サブフレームでも干渉が発生する。特に、異種サブフレームでのセル間干渉は、データ受信性能劣化に非常に重要な要素である。その理由は、異種サブフレームでは特定端末がデータ受信に非常に大きい影響を及ぼすダウンリンク制御信号を受信すべき場合が発生するためである。
【００５６】
異種サブフレームでセル間干渉問題を解決するための一つの解決方法は、アップリンク信号を送信する端末が適切な電力制御を実行することで、セル間干渉を緩和させることである。例えば、第１の端末にはダウンリンクサブフレーム、第２の端末にはアップリンクサブフレームに設定された特定サブフレームを仮定する。前記特定サブフレームで、第１の端末がダウンリンク制御信号を受信する複数のＯＦＤＭシンボルで、第２の端末は、送信電力を低くし、又はゼロ（ｚｅｒｏ）電力を割り当ててＰＵＳＣＨを送信することによって第１の端末に対するセル間干渉を低くすることができる。結果的に、第２の端末は、一つのサブフレーム内で、一部のＯＦＤＭシンボルでは低い送信電力でＰＵＳＣＨ／ＰＵＣＣＨを送信し、残りのＯＦＤＭシンボルでは元来の送信電力でＰＵＳＣＨ／ＰＵＣＣＨを送信する。
【００５７】
しかし、このように連続された時間領域で送信電力を変化させることは、チャネル位相の不連続を引き起こすことができる。一般的に、端末は、費用問題のため、線形電力増幅器と非線形電力増幅器のうち、性能が低いが費用が低廉な非線形電力増幅器を多く使用する。非線形電力増幅器の場合、連続された時間領域でアップリンク送信電力を変化させると、位相の不連続を伴うようになる。
【００５８】
したがって、前記解決方法は、第２の端末のアップリンク信号送信に影響を及ぼす。即ち、基地局は、第２の端末のアップリンク信号を正確に受信／デコーディングしにくい問題が発生する。
【００５９】
このような問題を解決するために、本発明ではアップリンク異種サブフレームで新たなサブフレーム構造を使用してアップリンク信号を送信する方法及びこのような方法を使用する端末を提案する。
【００６０】
まず、既存のアップリンクサブフレーム構造を説明する。
【００６１】
図９は、既存のアップリンクサブフレームの構造を示す。
【００６２】
図９を参照すると、アップリンクサブフレームは、ノーマルＣＰ（ｃｙｃｌｉｃ  ｐｒｅｆｉｘ）で７個のＯＦＤＭシンボルを含むスロット２個で構成される。各スロットの４番目のＯＦＤＭシンボルではアップリンク信号復調のための端末特定的参照信号（以下、参照信号と略称）が送信される（参照信号は、基地局と端末が互いに予め知っている信号である）。即ち、サブフレームの４番目、１１番目のＯＦＤＭシンボルでは参照信号が送信される。基地局は、参照信号を利用し、スロット単位又はサブフレーム単位にチャネル推定を実行し、データ復調を実行することができる。
【００６３】
アップリンクサブフレームがアップリンク異種サブフレームの場合、アップリンクサブフレームの最初の特定個数のＯＦＤＭシンボル（最大４個）では他の端末のダウンリンク制御信号受信に及ぼす干渉を緩和するために送信電力を低くし、又はゼロ（ｚｅｒｏ）電力を割り当てる。
【００６４】
このように、アップリンクサブフレーム内又はアップリンクスロット内で互いに異なる送信電力を割り当てるべき場合、即ち、他の基地局がダウンリンク制御信号を送信する複数のＯＦＤＭシンボルと重なる部分が発生するアップリンクサブフレームは、アップリンクチャネル推定及び／データ復調のために新たなサブフレーム構造を使用することができる。
【００６５】
図１０は、アップリンクサブフレームの１番目のＯＦＤＭシンボルが隣接基地局のＰＤＣＣＨ送信ＯＦＤＭシンボルと重なる場合に適用することができるサブフレームの構造を示す。
【００６６】
図１０を参照すると、アップリンクサブフレームの初めの一個のＯＦＤＭシンボルのみが隣接基地局のＰＤＣＣＨ領域と重なる場合、端末は、前記初めの一個のＯＦＤＭシンボルの送信電力をゼロ（ｚｅｒｏ）で割り当て、残りのＯＦＤＭシンボルでは元来の送信電力でアップリンク信号を送信する。即ち、既存のアップリンクサブフレーム構造を同一に使用し、隣接基地局のＰＤＣＣＨ領域と重なるＯＦＤＭシンボルはミューティング（ｍｕｔｉｎｇ）して送信する。重なる領域が一つのＯＦＤＭシンボルの場合、重なる領域に別途の参照信号を挿入することがＳＣ−ＦＤＭＡ特性上容易でないためである。
【００６７】
図１１は、アップリンクサブフレームの初めの２個のＯＦＤＭシンボルが隣接基地局のＰＤＣＣＨ送信ＯＦＤＭシンボルと重なる場合を示し、図１２は、図１１のような状況で適用することができるサブフレームの構造を示す。
【００６８】
図１１を参照すると、アップリンクサブフレームの初めの２個のＯＦＤＭシンボルは、隣接基地局がＰＤＣＣＨを送信する領域と重なる。図１１において、ＰＵＳＣＨ領域のうち、１１１で表示された領域は、ＳＴＢＣ（ｓｐａｃｅ  ｔｉｍｅ  ｂｌｏｃｋ  ｃｏｄｉｎｇ）のように対で副搬送波を割り当てることができる領域を示す。
【００６９】
図１１のような状況で、図１２に示したように、重なる領域に一つの参照信号をさらに割り当てる。即ち、アップリンクサブフレームの１番目のＯＦＤＭシンボル又は２番目のＯＦＤＭシンボルに、ＰＵＳＣＨに対するチャネル推定及びデータ復調のために、追加的な参照信号１２３を挿入する。
【００７０】
図１２において、１２２で表示した領域ではＦＳＴＤ（ｆｒｅｑｕｅｎｃｙ  ｓｅｌｅｃｔｉｏｎ  ｔｒａｎｓｍｉｔ  ｄｉｖｅｒｓｉｔｙ）、ビーム形成（ｂｅａｍｆｏｒｍｉｎｇ）、アンテナ選択（ａｎｔｅｎｎａ  ｓｅｌｅｃｔｉｏｎ）などのようなＭＩＭＯ（ｍｕｌｔｉ  ｉｎｐｕｔ  ｍｕｌｔｉ  ｏｕｔｐｕｔ）技法を利用することができる。また、１２１で表示した領域ではＳＴＢＣのように対で副搬送波を割り当てることができる。
【００７１】
図１２のようなサブフレーム構造を使用して端末がアップリンク信号を送信する場合、基地局は、隣接基地局のＰＤＣＣＨ領域と重なるＰＵＳＣＨに対して追加的な参照信号１２３を利用して別途のチャネル推定及びデータ復調が可能であり、その以外の領域では既存の参照信号１２４を利用してチャネル推定及びデータ復調が可能である。
【００７２】
図１３は、アップリンクサブフレームの初めの３個のＯＦＤＭシンボルが隣接基地局のＰＤＣＣＨ送信ＯＦＤＭシンボルと重なる場合を示し、図１４は、図１３のような状況で適用することができるサブフレームの構造を示す。
【００７３】
図１３のように３個のＯＦＤＭシンボルがＰＤＣＣＨ送信領域と重なる場合、重なる領域１３１内の１番目又は２番目のＯＦＤＭシンボルに追加的な参照信号を挿入すると、重なる領域１３１で送信されるＰＵＳＣＨの性能は確保されることができるが、残りの領域で送信ダイバーシティ（ｔｒａｎｓｍｉｔ  ｄｉｖｅｒｓｉｔｙ）を使用すると、送信ダイバーシティ性能が落ちるという短所がある。
【００７４】
したがって、図１４（ａ）又は図１４（ｂ）のように、追加的な参照信号を挿入せずにサブフレーム内の１番目のスロットの既存参照信号の位置を変更することができる。即ち、既存アップリンクサブフレーム構造では１番目のスロットの参照信号が４番目のＯＦＤＭシンボルに位置したが、本実施例ではアップリンクサブフレームの１番目のスロットに位置する参照信号の位置を、隣接基地局のＰＤＣＣＨ送信領域に該当する３個のＯＦＤＭシンボルのうち一つのＯＦＤＭシンボルに移動させる。
【００７５】
この場合、アップリンクサブフレームの初めの３個のＯＦＤＭシンボルを除いた残りの領域で高速の端末に対するチャネル推定／データ復調性能は多少劣化されることができるが、追加的な参照信号オーバーヘッド無くリソース割当効率を維持することができるという長所がある。
【００７６】
図１４において、アップリンクサブフレームの１番目のスロットでの参照信号位置のみを変更したが、これに制限されるものではない。即ち、２番目のスロットでの参照信号位置も変更することができる。
【００７７】
図１５は、アップリンクサブフレームの２番目のスロットの参照信号位置変更の一例である。
【００７８】
図１５を参照すると、アップリンクサブフレームの１番目のスロットの参照信号が隣接基地局のＰＤＣＣＨ領域に該当するＯＦＤＭシンボルのうち一つに位置すると同時に、２番目のスロットの参照信号が２番目のスロットの４番目のＯＦＤＭシンボルでなく、１番目のＯＦＤＭシンボルに位置する。
【００７９】
図１４及び図１５で例示したアップリンクサブフレーム構造は、基地局がサブフレーム単位にチャネル推定／データ復調を実行する場合に適用することができる。もし、端末に適用されるリソース割当方式がスロット単位にホッピングされる場合、１番目のスロットで隣接基地局のＰＤＣＣＨ送信領域と重ならない領域のデータ復調が難しい。
【００８０】
このような問題を解決するために、下記のようなサブフレーム構造を利用することができる。
【００８１】
図１６は、端末に適用されるリソース割当方式がスロットホッピング方式である場合に適用されることができるサブフレーム構造の例を示す。
【００８２】
図１６を参照すると、１番目のスロットで３番目のＯＦＤＭシンボル及び７番目のＯＦＤＭシンボルに参照信号を挿入する。即ち、１番目のスロットで隣接基地局のＰＤＣＣＨ送信領域と重なる領域に一つの参照信号を挿入し、１番目のスロットの残りの領域に一つの参照信号を挿入してデータ復調及びチャネル推定性能を保障する。
【００８３】
図１７は、アップリンクサブフレームの初めの４個のＯＦＤＭシンボルが隣接基地局のＰＤＣＣＨ送信ＯＦＤＭシンボルと重なる場合を示し、図１８は、図１７のような状況で適用することができるサブフレームの構造を示す。
【００８４】
図１７のように、アップリンクサブフレームの初めの４個のＯＦＤＭシンボルが隣接基地局のＰＤＣＣＨ送信ＯＦＤＭシンボルと重なる場合、重ならない領域で送信ダイバーシティを利用する時、シンボルの対単位にリソース割当が行われることができないため、性能劣化が発生することができる。また、スロット単位にリソース割当をする場合、１番目のスロットでチャネル推定及びデータ復調が難しいという短所が発生することができる。したがって、１番目のスロットでＰＤＣＣＨ送信領域と重ならないＯＦＤＭシンボルのデータ復調及びチャネル推定のために追加的な参照信号を挿入することができる。即ち、図１８のように、１番目のスロットの４番目のＯＦＤＭシンボル外に７番目のＯＦＤＭシンボルに追加に参照信号を挿入することができる。この場合、シンボルの対単位にリソース割当が可能であり、スロット単位のリソース割当時にもチャネル推定及びデータ復調が可能である。
【００８５】
図９〜図１８を参照して説明した方法において、隣接基地局のＰＤＣＣＨ送信領域を構成するＯＦＤＭシンボル数は、Ｎ（Ｎは、１以上の自然数）個の隣接した基地局でＰＤＣＣＨを送信するために割り当てるＯＦＤＭシンボルの最大個数と同じ又は多い。そして、本発明で提案したサブフレーム構造で、参照信号が割り当てられるＯＦＤＭシンボルを除いたＯＦＤＭシンボルではＳＴＢＣ外に任意のＭＩＭＯ送信ダイバーシティ技法が使われることができる。
【００８６】
図１９は、本発明の一実施例に係る端末のアップリンク送信方法を示す。
【００８７】
図１９を参照すると、基地局は、端末にアップリンクサブフレームタイプ情報を送信する（Ｓ１１０）。アップリンクサブフレームタイプ情報は、図９〜図１８を参照して説明したサブフレーム構造のうち、いずれのサブフレーム構造を使用するかを指示する情報である。複数のサブフレーム構造は、参照信号の位置が互いに異なるサブフレーム構造である。アップリンクサブフレームタイプ情報は、ＵＬグラントに含まれて送信され、又はＲＲＣメッセージのような上位階層信号を介して送信されることができる。上位階層信号を介して送信される場合、複数のアップリンクサブフレームに対するアップリンクサブフレームタイプ情報が一回的ＲＲＣメッセージ情報送信により伝達されることができる。例えば、基地局は、ビットマップ形式で複数のサブフレームに対して何タイプのサブフレーム構造を使用するかを知らせることができる。
【００８８】
基地局は、複数の隣接基地局とＵＬ／ＤＬ設定が異なって異種アップリンクサブフレームが発生する場合のように、一つのサブフレーム内で端末の送信電力が変わるべき場合にアップリンクサブフレームタイプ情報を送信することができる。
【００８９】
端末は、アップリンクサブフレームタイプ情報によってアップリンクサブフレームを構成した後（Ｓ１２０）、構成されたアップリンクサブフレーム構造によってアップリンク信号を送信する（Ｓ１３０）。
【００９０】
前述した方法によると、同一時間区間で互いに異なる送信方向を有する非対称ＴＤＤシステムにおいて、隣接基地局のダウンリンク制御信号送信に及ぼす干渉を緩和すると共に、端末のアップリンク信号を信頼性のあるようにすることができる。
【００９１】
図２０は、本発明の実施例が具現される無線機器を示すブロック図である。
【００９２】
基地局１００は、プロセッサ（ｐｒｏｃｅｓｓｏｒ）１１０、メモリ（ｍｅｍｏｒｙ）１２０、及びＲＦ部（ＲＦ（ｒａｄｉｏ  ｆｒｅｑｕｅｎｃｙ）  ｕｎｉｔ）１３０を含む。プロセッサ１１０は、提案された機能、過程及び／又は方法を具現する。例えば、プロセッサ１１０は、端末にアップリンクサブフレームタイプ情報をＵＬグラントのような物理階層信号又はＲＲＣメッセージのような上位階層信号を介して送信することができる。また、アップリンクサブフレームタイプ情報で指示したサブフレーム構造によるＰＵＳＣＨを端末から受信してデコーディングすることができる。メモリ１２０は、プロセッサ１１０と連結され、プロセッサ１１０を駆動するための多様な情報を格納する。ＲＦ部１３０は、プロセッサ１１０と連結され、無線信号を送信及び／又は受信する。
【００９３】
端末２００は、プロセッサ２１０、メモリ２２０、及びＲＦ部２３０を含む。プロセッサ２１０は、提案された機能、過程及び／又は方法を具現する。例えば、プロセッサ２１０は、基地局からアップリンクサブフレームタイプ情報を受信し、アップリンクサブフレームタイプ情報によって予め決められた複数のサブフレーム構造のうち一つの構造を有するアップリンクサブフレームを構成する。サブフレーム構造に対しては図９〜図１８を参照して説明した。プロセッサ２１０は、構成したアップリンクサブフレームでアップリンク信号を基地局に送信する。前述したように、前記アップリンクサブフレームは、隣接した基地局でダウンリンク制御信号を送信するダウンリンクサブフレームと時間領域で重なるサブフレームのように、端末が一つのサブフレーム内で送信電力を異にしてアップリンク信号を送信すべきサブフレームである。メモリ２２０は、プロセッサ２１０と連結され、プロセッサ２１０を駆動するための多様な情報を格納する。ＲＦ部２３０は、プロセッサ２１０と連結され、無線信号を送信及び／又は受信する。
【００９４】
プロセッサ１１０、２１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／又はベースバンド信号及び無線信号を相互変換する変換器を含むことができる。メモリ１２０、２２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。ＲＦ部１３０、２３０は、無線信号を送信及び／又は受信する一つ以上のアンテナを含むことができる。実施例がソフトウェアで具現される時、前述した技法は前述した機能を遂行するモジュール（過程、機能など）で具現されることができる。モジュールは、メモリ１２０、２２０に格納され、プロセッサ１１０、２１０により実行されることができる。メモリ１２０、２２０は、プロセッサ１１０、２１０の内部又は外部にあり、よく知られた多様な手段によりプロセッサ１１０、２１０と連結されることができる。
【００９５】
以上、本発明に対して実施例を参照して説明したが、該当技術分野の通常の知識を有した者は、本発明の技術的思想及び領域から外れない範囲内で本発明を多様に修正及び変更させて実施可能であることを理解することができる。したがって、本発明は、前述した実施例に限定されずに、特許請求の範囲内の全ての実施例を含む。
【図１】
0005680255.tif 000003
【図２】
0005680255.tif 000004
【図３】
0005680255.tif 000005
【図４】
0005680255.tif 000006
【図５】
0005680255.tif 000007
【図６】
0005680255.tif 000008
【図７】
0005680255.tif 000009
【図８】
0005680255.tif 000010
【図９】
0005680255.tif 000011
【図１０】
0005680255.tif 000012
【図１１】
0005680255.tif 000013
【図１２】
0005680255.tif 000014
【図１３】
0005680255.tif 000015
【図１４】
0005680255.tif 000016
【図１５】
0005680255.tif 000017
【図１６】
0005680255.tif 000018
【図１７】
0005680255.tif 000019
【図１８】
0005680255.tif 000020
【図１９】
0005680255.tif 000021
【図２０】
0005680255.tif 000022